(57)【特許請求の範囲】
【請求項１】
駆体開口部に取り付けた枠体と、当該枠体の室外側に片開き及び突き出し可能に設けた障子を備え、
枠体は上下略平行配置した上枠及び下枠と、当該上枠と下枠の両端部に位置する左右の縦枠を有し、
障子は上下略平行に配置した上框と下框と、当該上框と下框の両端部に位置する左右の縦框を有し、
上枠と上框の間又は／及び下枠と下框の間は左右のリンクアームでそれぞれ連結するとともに、リンクアームの一端は回動軸連結し、他端はスライド連結することで障子が左右の一方に片開き及び平行して突き出し可能であり、
前記スライド連結したスライド連結部はスライド量を可変可能に規制したスライド規制手段を有し、
前記スライド規制手段は、前記リンクアームの他端に軸着した左右方向にスライド自在のスライダーと、当該スライダーの移動をロック，移動量規制及び移動自在のいずれかに切り換え可能なカムを有することを特徴とする採風窓。
【請求項２】
前記左縦枠と左縦框及び右縦枠と右縦框はそれぞれ突き出し開閉操作する操作部を有し、
当該操作部は、前記縦枠に設けた室外側に向けて突没する操作杆と、一方に設けた連結ピンと他方に設けた連結孔を介して前記縦框側に設けた連結アームとを回動自在の回動連結部で連結することで当該回動連結部にクリアランスを有するように連結してあることを特徴とする請求項１記載の採風窓。
【発明の詳細な説明】
【技術分野】
【０００１】
本発明は採風等を目的に建築物の駆体開口部に設けられる採風窓に関する。
【背景技術】
【０００２】
従来から屋外の新鮮な空気や風等を室内に取り込むための窓構造は片開き窓、突き出し窓等として各種提案されている。
これらの窓は引き違い障子と比較して風を取り込みやすく、採風窓として好まれている。
【０００３】
特許文献１は障子の一方の片側を開口部枠体に蝶番連結し、他方の開閉操作手段として枠体の内部を貫通するよう設けた連動部材を室内側で突出させるための回動可能な把手を有する構造を開示するが、障子の予め決められた片方を開くものであり、風向きの変化に対応できない。
特許文献２は扉の上下端面から突没する支軸を扉の左右に設けることで扉を左右のどちらにも片開きできる窓構造を開示するが、扉を片方の支軸で支えるものであるために平行に突き出しできるものではない。
特許文献３はＸアームを用いた平行突き出し窓を開示するが、障子を左右に片開きできるものではない。
【先行技術文献】
【特許文献】
【０００４】
【特許文献１】特開２００８−７５４２０号公報
【特許文献２】特開昭５６−６７０７９号公報
【特許文献３】特開２００２−２２７５１２号公報
【発明の概要】
【発明が解決しようとする課題】
【０００５】
本発明は風の向きに応じて障子を少なくとも左右のどちらにも片開きでき、さらには平行に突き出し可能な採風窓の提供を目的とする。
【課題を解決するための手段】
【０００６】
本発明に係る採風窓は、駆体開口部に取り付けた枠体と、当該枠体の室外側に片開き及び突き出し可能に設けた障子を備え、枠体は上下略平行配置した上枠及び下枠と、当該上枠と下枠の両端部に位置する左右の縦枠を有し、障子は上下略平行に配置した上框と下框と、当該上框と下框の両端部に位置する左右の縦框を有し、上枠と上框の間又は／及び下枠と下框の間は左右のリンクアームでそれぞれ連結するとともに、リンクアームの一端は回動軸連結し、他端はスライド連結することで障子が左右の一方に片開き及び平行して突き出し可能であり、前記スライド連結したスライド連結部はスライド量を可変可能に規制したスライド規制手段を有し、前記スライド規制手段は、前記リンクアームの他端に軸着した左右方向にスライド自在のスライダーと、当該スライダーの移動をロック，移動量規制及び移動自在のいずれかに切り換え可能なカムを有することを特徴とする。
このように障子の上部の左右２ヶ所及び下部の左右の２ヶ所のうち、どちらか一方又はその両方を枠体側とリンクアームにて連結したので左右のリンクアームのうち、どちらか一方を室外側に向けて回動することで左右のうち、どちらの方向にも障子を片開きすることができるのみならず、左右両方のリンクアームを室外側に向けて回動すれば、障子が室外側に向けて平行に突き出した窓になる。
ここで相対的に小さい障子や高さの低い障子にあっては障子の上部のみに設けた左右２ヶ所のリンクアーム、又は、障子の下部のみに設けた左右２ヶ所のリンクアームにて障子を支持することが可能であるが、上下の４ヶ所のリンクアームで障子を支えると、この障子の開閉安定性に優れる。
また、リンクアームの一方が回動連結され、他方がスライド連結されているものであれば枠体と障子とのどちら側が回動連結になっていてもよい。
なお、スライド連結部のスライド方向は左右対向配置されているのが好ましく、スライド構造はリンクアームの他端がスライド移動するものであれば、ガイド部に沿ったレール構造でもガイド溝とこのガイド溝に沿って移動するピン構造であってもよく、その構造に限定はない。
なお、本明細書では窓の外側から見て左右方向を表示する。
【０００７】
障子の開いた状態と閉じた状態を切り換え、さらにその状態を維持できれば各種構造を採用できるが、左縦枠と左縦框及び右縦枠と右縦框はそれぞれ突き出し開閉操作する操作部を有し、当該操作部は、前記縦枠に設けた室外側に向けて突没する操作杆と、一方に設けた連結ピンと他方に設けた連結孔を介して前記縦框側に設けた連結アームとを回動自在の回動連結部で連結することで当該回動連結部にクリアランスを有するように連結してあるのが好ましい。
【発明の効果】
【０００８】
本発明に係る採風窓は、障子上部の左右をそれぞれリンクアームで支持し、又は障子下部の左右をそれぞれリンクアームで支持し、もしくは障子の上部と下部との両方を左右のリンクアームでそれぞれ支持した構造を採用し、リンクアームの一端を回動軸で枢着し他端をスライド自在に連結したので、リンクアームを全て室内側に向けて回動させることで障子が枠体の開口部を閉じた状態に維持され、左側のリンクアームを室外側に回動すれば左側片開き窓になり、逆に左側のリンクアームを室内側に保持し、右側のリンクアームを室外側に回動すれば右側片開き窓になる。
また、左右のリンクアームを室外側に向けて回動すれば、障子が平行に室外側に突き出した突き出し窓になる。
ここで、スライド連結部に可変可能に規制したスライド規制手段を設けると、片開きの開き量を大きくしつつ、突き出し量を小さくすることもできる。
さらには、障子の上部及び下部の左右にそれぞれリンクアームで連結すると障子の上部の左右２つのリンクアームのみを室外側に回動すれば、障子の上部側が室外側に突き出した上側片開き窓になり、その逆に下側片開き窓にすることもできる。
【０００９】
これにより、風向きに応じて窓の開き方を選択することができるため、季節や時間で変化する風の取り込みに対応できる。
特に新築の場合に片開き窓では左右のどちらの方向に開くか判断が付かない場合があり、本発明ではそのような心配も不要である。
本発明に係る窓は窓ガラスをすりガラス等にすることで浴室の換気にも使用できる。
【図面の簡単な説明】
【００１０】
【図１】本発明に係る採風窓の横断面図を示し、（ａ）は窓の全閉状態、（ｂ）は室外側から見て障子の左片開き状態、（ｃ）は障子を平行に突き出した状態をそれぞれ示す。
【図２】室外側から見た障子（窓）の片開き状態を示す。
【図３】室外側から見た障子の平行突き出し状態を示す。
【図４】室内側から見た障子の片開き状態を示す。
【図５】室内側から見た障子の平行突き出し状態を示す。
【図６】障子の側部に設けた開閉操作部を示す。
【図７】障子の上部又は下部の片開き状態を示す。
【図８】スライド連結部を枠体側に設けた実施例を示す。（ａ）は障子の全閉状態、（ｂ）はカム操作により片方のスライダーをロックした状態、（ｃ）はスライダーがロックされていない方のスライダー移動を許容し、障子を片開きにした状態、（ｄ）はさらに大きく片開きにした状態をそれぞれ示す。
【図９】スライダーの動きを示した部分拡大図を示し、（ａ）は障子の全閉状態、（ｂ）は障子を片開きする状態を示す。
【図１０】リンク機構の動きを説明するための模式図を示す。（ａ）は左右のカムが中立の状態、（ｂ）は図１０で右側のスライダーをロックした状態、（ｃ）は障子を片開きした状態を示す。
【図１１】左側のスライダーをロックし、障子の右側を片開きした状態を示す。
【図１２】左右のスライダーのスライド量を規制することで障子の突き出し量を調整した例を示す。
【図１３】リンク機構の動きを説明するための模式図を示す。（ａ）は障子が閉じた状態、（ｂ）は障子を突き出した状態を示す。
【発明を実施するための形態】
【００１１】
本発明に係る採風窓の構造例を以下図面に基づいて説明するが、これに限定されるものではない。
【００１２】
図１〜図５に示すように建築物の駆体１の開口部の周縁部に枠体１０が嵌め込まれ、枠体の開口部を開閉可能に障子２０が設けられている。
図２に示すように枠体１０は上枠１３、下枠１４及びその左右に位置する室外側から見て左縦枠１１と右縦枠１２からなる正面視略長方形の枠状になっている。
障子２０は上框２３、下框２４及びその左右の左縦框２１及び右縦框２２とからなる正面視略長方形の枠状になっていて、その枠内に図示を省略したが、ガラス等のパネル体が水密に嵌め込まれている。
【００１３】
下枠１４の内側面（上面）と下框２４の外側面（下面）との間であって、障子の左右を２つのリンクアーム３１，３２にて連結してある。
上枠１３の内側面（下面）と上框２３の外側面（上面）との間であって、障子の左右を２つのリンクアーム３３，３４にて連結してある。
４つのリンクアーム３１〜３４はそれぞれ共通の符号ａ〜ｆを対応するように付してあり、図１に下側のリンクアーム３１，３２の構造を示し、これに基づいて以下説明する。
図１にて左側のリンクアーム３１は一端３１ａを下枠１４に回動自在な回動軸にて枢着（回動連結）し、他端はピン３１ｂ形状になっていて下框２４に取り付けたブラケット３１ｃに設けた長孔形状のスライド溝３１ｄに沿って左右方向にスライドする例（スライド連結）になっている。
右側のリンクアーム３２は上記リンクアーム３１と対向するように配置してあり、リンクアーム３２の一端３２ａは下枠１４の内側上面に回動軸で枢着し、他端に設けたピン３２ｂは下框２４の外側下面に取り付けたブラケット３２ｃの長孔形状のスライド溝３１ｄにスライド連結してある。
障子の上部側のリンクアーム３３，３４も同様の構造になっているので説明を省略する。
なお、本実施例では障子の上部と下部とにそれぞれ左右一対、対向配置したリンクアームの例を示したが後述するように左右の縦框の側部を操作部で連結したり、他の手段にて障子の開閉状態を支持できれば障子の上部又は下部の片方のみ左右のリンクアームで支持してもよい。
【００１４】
障子２０の左右の縦框２１，２２はそれぞれ枠体の左右の縦枠１１，１２と操作部４１，４２にて連結されている。
左右の操作部４１，４２は対向配置され、その構造は一致するので図６に基づいて操作部４１を代表に説明する。
操作部４１の本体部４１ａを縦枠１１の枠内の内側面に取り付けてあり、操作杆４１ｂが本体部４１ａの貫通孔に沿って室外側に突没するようになっていて、操作杆４１ｂの室外側端部が連結アーム４１ｄと回動自在な回動連結部４１ｃにて連結されている。
連結アーム４１ｄの室外側端部は連結孔４１ｅになっていて、障子側に固定した略Ｔ字形状の固定プレートの室内側に設けたピン形状の連結ピン４１ｇが上記連結孔４１ｅ内に納まるように連結されている。
この連結孔４１ｅは連結ピン４１ｇの外径よりも所定のクリアランスを有し、アソビがあるように大きい内径になっている。
これにより、操作杆４１ｂを室外側に突き出すと、固定プレート４１ｆを介して障子の縦框が室外側に回動又は突き出され、操作杆４１ｂを室内側に向けて引っ張り、回動連結部を回動中心にして上下方向に折り曲げると閉じた状態がロックされる。
【００１５】
次に障子２０の開閉操作について説明する。
図１（ａ）に示した状態はリンクアーム３１〜３４が障子２０の上框２３、下框２４と平行になるように室内側に回動した状態にあり、障子が全閉状態にある。
この状態から操作部４１又は４２を操作し、左のリンクアーム３１，３３又は右のリンクアーム３２，３４の一方を室外側に向けて回動すると、例えば図１（ｂ）に左側のリンクアーム３１，３３を回動した状態を示すように片開き状態になる。
図２にその状態の室外側から見た状態を示し、図４に室内側から見た状態を示す。
操作部４１の連結孔４１ｅと連結ピン４１ｇの間に所定のアソビがあることから、図２（ｂ）に示すように連結アーム４１ｄとのねじれを許容する。
【００１６】
また、図１（ｃ）に示すように左右のリンクアーム３１〜３４の全てを室外側に向けて回動すると、障子２０が平行に室外側に突き出した状態になる。
このときの外観図を図３に内観図を図５にそれぞれ示す。
【００１７】
図７に示すように障子２０の縦框２１，２２の上下二段にそれぞれ操作部４１〜４４を設けると、図７（ａ）に示すように障子２０の上側片開き、また逆に図７（ｂ）に示すように下側片開き状態にすることも可能である。
【００１８】
図８〜図１３はリンクアームのスライド連結部を枠体側に設けるとともに左右のリンクアームのうち、片方のスライドをロックしたり、左右のリンクアームのスライド量を規制したスライド規制手段を設けた例を示す。
枠体の左右の一対のカム５１，５２を対向配置し、回動軸５１ａ，５２ａにて回動自在に設け、左右のカムを同期リンク５０ａで連結し、この同期リンクの中央部に取り付けたカム操作部５０にて左右に回動可能にした。
左右のカム５１，５２を同期して回動できるように左右のカム５１，５２に対向して略く字形状のスライド部５１ｂ，５２ｂを形成し、この左右の対向配置したスライド部５１ｂ，５２ｂに同期リンク５０ａの両端部をスライド可能に連結してある。
【００１９】
枠体と障子とは、左右の対向配置したリンクアーム１３１，１３２にてリンク連結し、障子側は回動軸１３１ａ，１３２ａにて回動可能に軸着した。
リンクアーム１３１，１３２の枠体側は、左右方向のガイド部６１ａ，６２ａに沿ってガイドされながら左右にスライドするスライダー６１，６２を設け、このスライダー６１，６２に回動軸１３１ｂ，１３２ｂを介して軸着した。
このスライダー６１，６２に対して左右のカム５１，５２にスライダーの移動をロックするロック規制面５１ｃ，５２ｃと所定の範囲のみスライドを規制するスライド規制面５１ｄ，５２ｄ（図１２参照）を設定してある。
【００２０】
次に障子の開閉操作について説明する。
図８（ａ）が閉じた状態で（ｂ）〜（ｄ）がリンクアーム１３１，１３２の動きによる障子の片開き変化を示す。
なお、図９にスライダー付近の拡大図、図１０にリンクアームとスライダーとの関係を示す。
図１０で説明すると、障子が閉じた状態で（ａ）に示すようにカム操作部５０を左に操作すると左のカム５１はガイド部６１ａを開放し、右のカム５２はロック規制面５２ｃがスライダー６２の左側（内側）に当接し、スライダー６２の移動をロックする。
このような状態で図８（ｃ）に示すように操作杆４１ｂを押し出すと、連結アーム４１ｄの外側への突出によりスライダー６１がガイド部６１ａに沿って右に移動し、障子が片開きする。
操作杆４１ｂの押し出し量を二段にしてもよいが、図８に示した例は連結アーム４１ｄから障子側の連結ピン４１ｇを外してさらに大きく片開きした例である。
図１１は上記とは反対側に障子を片開きした例を示し、操作は上記と逆になるだけなので、詳細な説明は省略する。
この場合には片開きの開き角度はスライダー６１，６２の最大スライド量にて定まる。
【００２１】
図１２，１３は左右のカム５１，５２を中立状態にし、左右の操作４１ｂ，４２ｂを操作し、障子２０を枠体１０から平行に突き出す場合を示す。
この状態では、左右のスライダー６１，６２は左右のカム５１，５２のスライド規制面５１ｄ，５２ｄに当接するまでは移動が許容されるが、それ以上はスライドしないのでこの状態で定まるリンクアーム１３１，１３２の回動角度に応じた突き出し量にて障子２０が平行に突き出すことになる。
従って、図８〜図１１に示すように障子の片開き角度を大きくすることができつつ、突き出し量は小さくできるので、障子の突き出し状態で外から内部が見える範囲を狭くすることができる。
【符号の説明】
【００２２】
１          駆体
１０        枠体
１１        左縦枠
１２        右縦枠
１３        上枠
１４        下枠
２０        障子
２１        左縦框
２２        右縦框
２３        上框
２４        下框
３１        リンクアーム
３２        リンクアーム
４１        操作部
４１ａ      本体部
４１ｂ      操作杆
４１ｃ      回動連結部
４１ｄ      連結アーム
４１ｅ      連結孔
４１ｆ      固定プレート
４１ｇ      連結ピン
４２        操作部
５０        カム操作部
５１        カム
５２        カム
５２ｃ      ロック規制面
５２ｄ      スライド規制面
６１        スライダー
６１ａ      ガイド部
６２ａ      ガイド部
【図１】
0005671383.tif 000002
【図２】
0005671383.tif 000003
【図３】
0005671383.tif 000004
【図４】
0005671383.tif 000005
【図５】
0005671383.tif 000006
【図６】
0005671383.tif 000007
【図７】
0005671383.tif 000008
【図８】
0005671383.tif 000009
【図９】
0005671383.tif 000010
【図１０】
0005671383.tif 000011
【図１１】
0005671383.tif 000012
【図１２】
0005671383.tif 000013
【図１３】
0005671383.tif 000014